(57)【要約】【課題】登録印鑑の印影画像を表示部に表示する印鑑照会機と、被照会印鑑を押印した印鑑票を載置する印鑑票載置台と、この印鑑票載置台に対して直角をなすように前記印鑑照会機を装着する装着部とこの装着部に装着された前記印鑑照会機および前記印鑑票載置台に対してそれぞれ４５度をなすように保持されたハーフミラーを備えた光学系ユニットとを有する印鑑照会装置において、複雑な刻印内容を見易くするために表示部に表示する印影画像を拡大した場合、そのまま光学ユニットに装着してハーフミラーで印鑑票の印影と比較しようとして重ね合わせても実寸大の印鑑票の印影とは大きさが異なって重なり合わず、比較ができないという問題がある。【解決手段】印鑑票載置台に、印鑑照会機に表示される拡大された印影画像と同率に拡大するレンズを有する印影拡大パネルを移動可能に設け、印鑑票載置台上に載せた印鑑票の印影を上記印影画像の大きさに連動させて倍率を合わせて拡大表示できるようにしたことを特徴とする。【選択図】        図１
2005122401.tif 000002
【特許請求の範囲】
【請求項１】
登録印鑑の印影画像を表示部に表示する印鑑照会機と、被照会印鑑を押印した印鑑票を載置する印鑑票載置台とを有する印鑑照会装置において、
印鑑票載置台に、印鑑照会機に表示される拡大された印影画像と同率に拡大するレンズを有する印影拡大パネルを移動可能に設け、印鑑票載置台上に載せた印鑑票の印影を上記印影画像の大きさに合わせて拡大表示するようにしたことを特徴とする印鑑照会装置。
【請求項２】
請求項１において、印影拡大パネルに倍率の異なる複数のレンズを設けたことを特徴とする印鑑照会装置。
【請求項３】
請求項２において、印鑑票の印影に対して所望の倍率のレンズに切り替え可能であることを特徴とする印鑑照会装置。
【請求項４】
請求項３において、倍率レンズの切り替えに連動して前記印影画像も拡大されることを特徴とする印鑑照会装置。
【請求項５】
請求項１から２もしくは請求項３において、拡大倍率を設定できる操作部を、印鑑照会機と、前記印鑑票載置台に対して直角をなすように前記印鑑照会機を装着する装着部とこの装着部に装着された前記印鑑照会機および前記印鑑票載置台に対してそれぞれ４５度をなすように保持されたハーフミラーを備えた光学系ユニットとに連結したことを特徴とする印鑑照会装置。
【発明の詳細な説明】
【技術分野】
【０００１】
本発明は、銀行等の金融機関で取引の際に顧客が使用した印鑑の正当性を確認するため、その印鑑が登録されている印鑑と同じか否かを照会するための印鑑照会装置に関する。
【背景技術】
【０００２】
従来の印鑑照会装置としては、簡単な印影の印鑑を照会するために印鑑照会機単体で使用する場合、印鑑照会機の表示部に登録印鑑データによる実寸大の印鑑の印影画像を表示し、帳票等の印鑑票に押印された被照会印の印影と見比べる。また、複雑な印影の印鑑を照会する場合は、印鑑照会機を光学系ユニットの装着部に上下逆にして装着し、前記登録印鑑データによる実寸大の印鑑の画像を左右を反転して表示し、この画像と印鑑票載置台上の印鑑票に押印された被照会印の印影をハーフミラー上で重ね合わせて照会することができる装置がある（特許文献１参照）。
【０００３】
その具体的な構造を、図１１および図１２を用いて説明する。
図１１は印鑑照会機の説明図であり、図において、１０１は印鑑照会機、１０２はＬＣＤ等による表示部、１０３はあらかじめ金融機関に登録されている登録印鑑の印影画像であり、表示部１０２に実際の印影と同一寸法もしくは指定した拡大寸法で表示される。
１０４は操作部であり、照会したい印鑑の印影の口座番号入力等の操作や印影を１．５倍や２．０倍等の拡大表示の指示操作等を行う。
【０００４】
図１２は光学系ユニットの説明図であり、図において、１０５は光学系ユニットであり、印鑑照会機１０１の装着部１０６があり、その装着部１０６に対向して４５度に傾斜させたハーフミラー１０７を設け、このハーフミラー１０７に４５度で対向して印鑑票１０８を載せる印鑑票載置台１０９が設けてある。
そこで、顧客が印影を押印した印鑑票１０８を金融機関に持ち込むと、金融機関の係員（テラー）は、その印鑑票１０８の印影と、印鑑照会機１０１にその顧客の口座番号等を入力して表示部１０２に表示した印影画像１０３と目視にて見比べ、同一のものであるか否かを判断する。
【０００５】
複雑な刻印内容の印鑑を照会する場合は、印鑑照会機１０１を上下を逆にして光学系ユニット１０５の装着部１０６に装着し、印鑑登録データによる実寸大の印鑑の印影画像１０３を左右反転して表示部１０２に表示し、この印影画像と、印鑑票載置台１０９上に載せた印鑑票１０８の印影とをハーフミラー１０７上で重ね合わせて同一のものであるか否かを判断する。
【特許文献１】特開２００１−３４７６０号公報
【発明の開示】
【発明が解決しようとする課題】
【０００６】
しかしながら、上述した従来の技術によると、複雑な刻印内容を見易くするために表示部に表示する印影画像を拡大した場合、そのまま光学系ユニットに装着してハーフミラーで印鑑票の印影と比較しようとして重ね合わせても実寸大の印鑑票の印影とは大きさが異なって重なり合わず、比較ができないという問題がある。
本発明は、上記の問題点を解決するためになされたもので、印鑑照会機の表示部に表示された拡大された印影画像に合わせて印鑑票載置台上に載せた印鑑票の印影を同率に拡大して互いの印影を重ね合わせて照会することができるようにした手段を提供することを目的とする。
【課題を解決するための手段】
【０００７】
そこで本発明は、登録印鑑の印影画像を表示部に表示する印鑑照会機と、被照会印鑑を押印した印鑑票を載置する印鑑票載置台とを有する印鑑照会装置において、印鑑票載置台に、印鑑照会機に表示される拡大された印影画像と同率に拡大するレンズを有する印影拡大パネルを移動可能に設け、印鑑票載置台上に載せた印鑑票の印影を上記印影画像の大きさに合わせて拡大表示するようにしたことを特徴とする。
【０００８】
さらに、上記において、印影拡大パネルに倍率の異なる複数のレンズを設けたことを特徴とする。
さらに、上記において、印鑑票の印影に対して所望の倍率のレンズに切り替え可能であることを特徴とする。
さらに、上記において、倍率レンズの切り替えに連動して前記印影画像も拡大されることを特徴とする。
【０００９】
さらに、上記において、拡大倍率を設定できる操作部を、印鑑照会機と、前記印鑑票載置台に対して直角をなすように前記印鑑照会機を装着する装着部とこの装着部に装着された前記印鑑照会機および前記印鑑票載置台に対してそれぞれ４５度をなすように保持されたハーフミラーを備えた光学系ユニットとに連結したことを特徴とする。
【発明の効果】
【００１０】
これにより、本発明は、印鑑照会機の表示部に表示される印影画像と、印鑑載置部に載せた印鑑票の印影とを同倍率にしてハーフミラーで重ね合わせて照会をすることが可能となるという効果が得られる。
【発明を実施するための最良の形態】
【００１１】
以下に、図面を参照して本発明の実施例について説明する。
【実施例】
【００１２】
図１は本発明の実施例を示す側面説明図、図２は印鑑票載置台の平面説明図、図３は印鑑照会機の説明図、図４は全体のブロック図である。
図において、１は印鑑照会機であり、ＬＣＤ等による表示部２、ＣＰＵ３、表示インターフェース部４および操作インターフェース部５等を有する。
６はあらかじめ金融機関に登録されている登録印鑑の印影画像であり、表示部２に実際の印影と同一寸法もしくは指定した拡大寸法で表示される。
【００１３】
７は操作部であり、照会したい印鑑の印影の口座番号入力等の操作や印影を１．５倍や２．０倍等の拡大表示の指示操作等を行うことができ、上記印鑑照会機１および後述する光学系ユニットと接続するコード８、９を有する。
１０は光学系ユニットであり、上記印鑑照会機１を装着する装着部１１が垂直方向に起立してあり、その装着部１１に対向して４５度に傾斜させたハーフミラー１２を設け、このハーフミラー１２に４５度に対向させるように印鑑票１３を載せる印鑑票載置台１４が設けてある。
【００１４】
上記ハーフミラー１２は、その支持部材と共に装着部１１に対して上下方向に移動できるように設けられており、ハーフミラー１２とその支持部材とを一体に上下動させるための移動機構１５が設けられている。
この移動機構１５は、例えば、図８に示す如く、装着部１１の前端側に操作ノブと一体にしたピニオンギヤを設け、このピニオンギヤと噛み合うラックをハーフミラー１２の支持部材に固定して操作ノブを手動により操作してピニオンギヤを回転させることによりタックを介してハーフミラー１２はその支持部材と一体に上下動させる構造とすることが可能である。なお、この他にも歯付きプーリと歯付きベルトとの組み合わせ等任意のものを採用することができる。
【００１５】
上記印鑑票載置台１４には、照会したい印鑑の印影１６を押印した印鑑票１３を載置する載置部１７に向けて移動可能に隣接して設けた２種以上の倍率の異なるレンズ１８、１９（本実施例では１．５倍と２倍の２種の場合を示す。）を有する印影拡大パネル２０が設けてある。この印影拡大パネル２０は、上記印鑑票１３の載置部１７の周囲、つまり左右もしくは上下等の位置のどこでもよく、本実施例では左右方向の位置に設けてあり、載置部１７に沿って設けたスライドレール２１に沿って載置部１７上に移動できるようにしてあり、通常時は載置部１７からはずれた位置で待機している。なお、図４において、２２は印影拡大パネル制御部、２３は操作インターフェース部である。
【００１６】
上記のような構成において、印影拡大パネル２０の駆動構造は、例えば、図５に示す如く、２つのプーリ２５、２６間に設けた無端ベルト２７にスライダ２８を介して印影拡大パネル２０を取り付け、上記スライドレール２１に沿って移動可能とし、上記プーリ２５、２６の一方を駆動源に連結し、さらに、どちらか一方の軸にエンコーダ２９を配置し、原点位置を光学センサ３０で検出できるようにしてあり、操作部７によって矢印方向に移動させると、その移動量をエンコーダ２９により測定し、選択した倍率のレンズを特定することができる。
【００１７】
なお、上記構成において、スライダを用いず直接印影拡大パネルを無端ベルトに取り付けてもよい。また、駆動源を用いずに手動によって移動させてもよく、さらには手動だけの構造としてもよい。
また、他の駆動構造としては、図６に示す如く、印鑑票載置台１４に所定間隔にそれぞれのレンズの位置センサ３１、３２および標準の位置センサ３３を対応する位置に設置しておき、スライドレール２１に沿って移動するようにしたスライダ３４に印影拡大パネル２０およびセンサプレート３５を取り付け、印影拡大パネル２０上の各レンズ１８、１９の位置および標準位置を位置センサ３１、３２、３３が検出して位置決めを行うことができる。この場合も、スライダ３４もしくは印影拡大パネルの移動構造は、上記の構成と同様でよい。
【００１８】
さらには、図７に示す如く、回転支点３６から放射状に倍率の異なるレンズ１８、１９を設けたような構造でもよい。要するに倍率の異なるレンズの切替が可能な構造であればどのような構造でもよい。
上述した構成の作用について説明する。
顧客から持ち込まれた印鑑票１３に押印されている印影１６が、登録されているものと同一か否かを判断するため、印鑑票１３を印鑑票載置台１４の載置部１７にセットする。
【００１９】
そして、光学系ユニット１０に実装されたハーフミラー１２を介して装着部１１に装着した印鑑照会機１の表示部２に表示された印影と重ね合わせて目視照会する。
このとき、図８に示す如く、印鑑照会機１からハーフミラー１２までの距離Ｌ１と、ハーフミラー１２から印鑑票載置台１４間での距離Ｌ２が同じであれば，ハーフミラー１２に写し出された印鑑照会機１の印影画像と、ハーフミラー１２を通して見える印鑑票１３の印影１６は同じ大きさになり、両者が重なり合って合致する。
【００２０】
しかしながら、距離Ｌ１とＬ２が異なると、印影画像６と印影１６とは大きさも異なって見えることになる。その場合は移動機構１５の操作ノブを手動により操作してピニオンギヤを回転させ、これによってラックの動きでハーフミラー１２をその支持部材と一体に移動させて距離Ｌ１とＬ２が同一になるように調整する。
つぎに、複雑な刻印の印影１６を１．５倍に拡大する場合の動作を説明する。
【００２１】
まず、操作部７のコード８、９を印鑑照会機１および印鑑票載置台１４のそれぞれの操作インターフェース部５、２３に接続する。そこで、操作部７の１．５倍の拡大キーを押下する。
すると、印鑑照会機１は、１．５倍に拡大した印影画像６を表示インターフェース部４を介して表示部２に表示する。
【００２２】
また、操作部７における１．５倍の情報は印鑑票載置台１４にも操作インターフェース部２３を介して印影拡大パネル制御部２２に送られており、図９に示す如く、スライドレール２１に沿ってスライダ２８を介して印影拡大パネル２０は移動し、１．５倍レンズ１８が印鑑票１３の印影１６上にセットされる。
これによって、印鑑照会機１の表示部２に表示された登録されている印影画像６と印鑑票１３の印影１６とが共に同率の１．５倍に拡大されており、ハーフミラー１２によって重ね合わせ照会が可能となる。
【００２３】
図１０は上記同様にして２倍に拡大した場合の説明図である。
この場合も、操作部７のコード８、９を印鑑照会機１および印鑑票載置台１４のそれぞれの操作インターフェース部５、２３に接続しておく。そこで、操作部７の２倍の拡大キーを押下する。
すると、印鑑照会機１は、２倍に拡大した印影画像６を表示インターフェース部４を介して表示部２に表示する。
【００２４】
また、操作部７における２倍の情報は印鑑票載置台１４にも操作インターフェース部２３を介して送られており、さらに印影拡大パネル制御部２２に送られて、図１０に示す如く、スライドレール２１に沿ってスライダ２８を介して印影拡大パネル２０は移動し、２倍レンズ１９が印鑑票１３の印影１６上にセットされる。
これによって、印鑑照会機１の表示部２に表示された登録されている印影画像６と印鑑票１３の印影１６とが共に同率の２倍に拡大されており、ハーフミラー１２によって重ね合わせ照会が可能となる。
【００２５】
なお、以上の説明では、印影拡大パネル２０の移動を、操作部７において自動的に行う場合で説明したが、印影拡大パネル２０を手動によって移動させてレンズを印鑑票１３の印影１６上にセットしてもよい。
また、図６および図７に示す構造において、手動操作によりレンズをセットした場合には、位置センサ等によりレンズ位置を検出し、この情報に連動して表示部２の印影画像６を拡大させてもよい。
【００２６】
さらに、印影画像６と印影１６は微妙なずれが生じる場合があるため、図３に示すように、操作部７に矢印キーを割り当てて印影画像を上下左右に移動させることもできる。また、図２に示すように、印鑑票載置台１４をＸ―Ｙ方向に移動させる機構を組み込むことでもよい。
以上のように、ハーフミラー１２を装着した光学系ユニットの印鑑票載置台１４に、印鑑照会機１に表示される拡大された印影画像と同率に拡大するレンズを有する印影拡大パネル２０を移動可能に設け、印鑑票載置台上に載せた印鑑票の印影を上記印影画像の大きさに連動させて倍率を合わせて拡大表示するようにしたことにより、印影画像と印影とを同倍率にしてハーフミラーで重ね合わせて照会をすることが可能となる。
【図面の簡単な説明】
【００２７】
【図１】実施例を示す側面説明図
【図２】印鑑票載置台の平面説明図
【図３】印鑑照会機の説明図
【図４】全体のブロック図
【図５】印影拡大パネルの駆動構造例を示す説明図
【図６】印影拡大パネルの駆動構造例を示す説明図
【図７】印影拡大構造例を示す説明図
【図８】距離合わせの説明図
【図９】印影拡大パネルの作動状態を示す説明図
【図１０】印影拡大パネルの作動状態を示す説明図
【図１１】従来の印鑑照会機の説明図
【図１２】従来の光学系ユニットの説明図
【符号の説明】
【００２８】
１  印鑑照会機
２  表示部
３  ＣＰＵ
４  表示インターフェース部
５  操作インターフェース部
６  印影画像
７  操作部
８、９接続するコード
１０  光学系ユニット
１１  装着部
１２  ハーフミラー
１３  印鑑票
１４  印鑑票載置台
１５  移動機構
１６  印影
１７  載置部
１８、１９  レンズ
２０  印影拡大パネル
２１  スライドレール
２２  印影拡大パネル制御部
２３  操作インターフェース部
２５、２６  プーリ
２７  無端ベルト
２８  スライダ
２９  エンコーダ
３０  光学センサ
３１、３２、３３  位置センサ
３４  スライダ
３５  センサプレート
３６  回転支点
【図１】
2005122401.tif 000003
【図２】
2005122401.tif 000004
【図３】
2005122401.tif 000005
【図４】
2005122401.tif 000006
【図５】
2005122401.tif 000007
【図６】
2005122401.tif 000008
【図７】
2005122401.tif 000009
【図８】
2005122401.tif 000010
【図９】
2005122401.tif 000011
【図１０】
2005122401.tif 000012
【図１１】
2005122401.tif 000013
【図１２】
2005122401.tif 000014